【事件の表示】
　特願２００３−１２２２２号「室内吊り具に於ける支持部材と吊掛棒の着脱機構」拒絶査定不服審判事件〔平成１６年８月１２日出願公開、特開２００４−２２２８４１号〕について、次のとおり審決する。
【結　論】
　本件審判の請求は、成り立たない。
【理　由】
１．手続の経緯
　本願は、平成１５年１月２１日の出願であって、平成１９年１月５日付けで拒絶査定がなされ、これに対し、同年２月２８日に拒絶査定不服審判が請求されるとともに同年３月２６日に手続補正がされたものである。
　
２．平成１９年３月２６日の手続補正についての補正却下の決定
［補正却下の決定の結論］
　平成１９年３月２６日の手続補正（以下「本件補正」という。）を却下する。
［理由］
（１）補正後の本願発明
　本件補正により、特許請求の範囲の請求項１は、「天井３にビス等で固着されている支持部材４、該支持部材４の外部側は嵌合孔１３を有した嵌合溝１４が設けられており、並びに該支持部材４の前記嵌合孔１３にはその上端部１５が装着され嵌合するように構成された吊掛棒５が用意され
該吊掛棒５が天井から懸架するタイプの室内物干し等において
　前記支持部材４の内部にはスプリング２５により上下動可能で中心部に円形凸部３０を有する可動ストッパー２６を設け、
　該可動ストッパー２６により常に押圧される状態となる可動用溝３２、３２’及び係止部３１、３１’を設け、
　前記吊掛棒５の上端部１５には球形フック１６及び係止突部１７、１７’からなる支持部材４への嵌合部を設け、
　該球形フック１６の位置決め凹部１８が前記支持部材４内の円形凸部３０に嵌合し押圧された状態で所定方向に回転せしめることにより係止突部１７、１７’が前記支持部材４内部に設けられた可動用溝３２、３２’内を摺動して係止部３１、３１’に嵌合して支持部材４と吊掛棒５の固着ができること、
　また、前記支持部材４と吊掛棒５の離脱は吊掛棒５を所定方向に回転せしめることにより行うこと、
　を特徴とする室内物干し具等に於ける支持部材と吊掛棒の着脱機構。」と補正された。
　上記補正は、発明を特定するための事項である、室内物干し具等に於ける支持部材と吊掛棒に関し、「
該吊掛棒５が天井から懸架するタイプの室内物干し等にお
　そこで、本件補正後の前記請求項１に記載された発明（以下「本件補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
（２）引用刊行物
ア．引用刊行物１
　原査定の拒絶の理由に引用され、本願出願前に頒布された特開２００２−３６０９９６号公報（以下「引用刊行物１」という。）には、図１〜７とともに以下の事項が記載されている。
（ア）「【請求項１】　支持具と吊掛具とからなる吊掛装置であって、
支持具は、底面の中央部分に開口部が設けられ、開口部の他方側に天板部が設けられた薄型の略円筒形で、前記開口部を挟んだ両側の底部に、それぞれ下方に半円弧状に突出した受部が設けられると共に、該受部の一側から上方にストッパーとなる隔壁が突設された金属あるいは合成樹脂の一体成形品であり、
吊掛具は、シャフトの一端に下面が円弧状の横杆が設けられ、他端に引掛部が設けられたものであり、
吊掛具の横杆が、開口部から支持具内に挿入され、隔壁に当接する位置まで回動されることにより、受部で揺動自在に掛支されることを特徴とする吊掛装置。
【請求項２】　吊掛具の横杆上にシャフトと同軸の凸部が設けられると共に、支持具の天板部にこの凸部が係合する係合部が設けられ、該凸部と係合部の係合により、吊掛具の回動操作時の軸心が位置決めされるようになされたことを特徴とする請求項１記載の吊掛装置。」（特許請求の範囲）
（イ）「本発明は、主として室内の天井に、着脱可能に取り付けられ、物干具や観葉植物、あるいは絵画などを吊り下げるために使用される吊掛装置に関する。」（段落【０００１】）
（ウ）「図２は、本発明に係る吊掛装置の使用状態の斜視図である。図示したように、本発明の吊掛装置は、薄型略円筒形の支持具１と、所定長さを有する略直杆状の吊掛具２とからなる。
　上記支持具１は、図１の斜視図、並びに図３〜図５に示すように、底面の中央部分に開口部１ａが設けられ、開口部１ａの他方側に天板部１ｂが設けられた薄型の略円筒形にアルミダイカストで一体成形されたものであり、前記開口部１ａを挟んだ両側の底部１ｃ，１ｃには、それぞれ下方に半円弧状に突出した受部１ｄが設けられ、該受部１ｄの一側からは、上方にストッパーとなる隔壁１ｅが突設されている。また、天板部１ｂの中央には、係合部となる円孔１ｆが設けられ、円孔１ｆを挟んだ両側には、ビス挿通孔１ｇ，１ｇが設けられている。
　吊掛具２は、シャフト３の一端に、下面が円弧状になった略半円柱形の横杆４を設け、シャフト３の他端に、リング状の引掛部５を回動自在に連結したものである。
　なお、図２において符号４ａは、吊掛具２の横杆４からシャフト３と同軸上に突設された凸部を示す。ここにおいて、この凸部４ａは、その外径が上記円孔１ｆの内径とほぼ等しい寸法に設定されている。
　本発明の吊掛装置は、上記の構成を有している。
　次にその使用法について述べると、まず予め支持具１を天井の所望位置に、ビス挿通孔１ｇを挿通したビス（図示せず）により固定しておく。次に、このようにして天井に固定された支持具１の下方から、その開口部１ａに吊掛具２の先端を差し込み、凸部４ａを天板部の円孔１ｆに係合させる。この時、当然、凸部４ａのすぐ下側の横杆４は、開口部１ａ内に位置している。次に、この状態で、吊掛具２のシャフト３を所定の方向（図示した例では右回転方向）に回動させると、その先端に取り付けられた横杆４は、その両端が支持具１の底部１ｃ上へと移動し、やがて、この底部１ｃ上に突設された隔壁１ｅに当接し、それ以上の移動が阻止される。よって、この状態で、押し上げていた吊掛具２を離せば、吊掛具２の先端の横杆４は、その両端が、支持具１の底部１ｃに下方湾曲状に設けられた受部１ｄ内に落ち込み、この受部１ｄで、揺動可能に支持されることとなる。（段落【００１７】〜【００２２】）
（エ）「以上のようにして、吊掛具２が天井から吊り下げられるように取り付けられるので、後は、この吊掛具２の下端に設けられた回動自在な引掛部５を利用して物干具や観葉植物などを引っ掛け、使用すれば良い。
　なお、この時、吊掛具２の横杆４は、下方に湾曲した受部１ｄ内に落ち込んでおり、しかもこの横杆４には、吊掛具２の自重、およびこの吊掛具２に吊り下げられた物品の荷重がかかっているので、容易にこの受部１ｄから抜け出る方向に回動することはない。
　また、吊掛具２を使用しない時は、吊掛具２を押し上げ、先端の凸部４ａを支持具１の円孔１ｇに係合させた状態で、シャフト３を上記と反対方向に回動させ、横杆４の両端を底部１ｃ上から開口部１ａ側へと移動させれば良く、このことで吊掛具２は容易に支持具１から取り外すことができる。
　以上のようにして本発明の吊掛装置は、用いられるものである。
　なお、図示した実施の形態では、支持具１の天板部１ｂに係合部として円孔１ｆを設けた例を示したが、この係合部は、吊掛具２を回動させる際に、その先端の凸部４ａが係合することにより、操作が円滑に行えるように、位置決めできれば良く、例えば凹所のようなものであっても良い。」（段落【００２４】〜【００２８】）
（オ）図１〜３には、上記記載事項（ウ）を参酌すると、支持具１の開口部１ａを挟んだ両側の底部１ｃの上方に、開口部１ａに開放し、受部１ｄ及び隔壁１ｅにまで続く空間が図示されている。
　
　これらの記載事項（ア）〜（エ）及び（オ）の図示内容を総合すると、上記引用刊行物１には、以下の発明（以下「引用発明」という。）が記載されていると認められる。
「室内の天井の所望位置に、ビス挿通孔１ｇを挿通したビスにより固定される薄型の略円筒形の支持具１、
支持具１の底面の中央部分に開口部１ａが設けられており、
支持具１の開口部１ａには下方からそのシャフト３の一端である先端を差し込み着脱可能に取り付ける吊掛具２が用意され、
吊掛具２が室内の天井から吊り下げられるように取り付けられ、吊掛具２の下端に設けられた引掛部５を利用して引っ掛けて使用する物干具などにおいて、
　吊掛具２の先端である、シャフト３の一端に、下面が円弧状になった略半円柱形の横杆４を設けるとともに、吊掛具２の横杆４からシャフト３と同軸上に突設された凸部４ａを設け、
　支持具１の開口部１ａの他方側に設けられた天板部１ｂの中央に、凸部４ａの外径とほぼ等しい寸法の内径の凹所１ｆを設け、
　開口部１ａに吊掛具２の先端を差し込み、凸部４ａを天板部の凹所１ｆに係合させて操作が円滑に行えるように位置決めするとともに横杆４も開口部１ａ内に位置させ、吊掛具２のシャフト３を所定の方向に回動させることにより、横杆４の両端が支持具１の開口部１ａを挟んだ両側の底部１ｃ上の開口部１ａに開放した空間へと移動し、やがて、この底部１ｃ上に突設された隔壁１ｅに当接しそれ以上の移動が阻止されて押し上げていた吊掛具２を離すと支持具１の底部１ｃに下方湾曲状に設けられた受部１ｄ内に落ち込み、受部１ｄで支持されること、
　また、吊掛具２のシャフト３を上記所定の方向と反対方向に回動させ、横杆４の両端を底部１ｃ上から開口部１ａ側へと移動させれば吊掛具２は容易に支持具１から取り外すことができる、
物干具などを引っ掛けて使用する吊掛具２を室内の天井に固定する支持具１に着脱可能に取り付けられる吊掛装置。」
　
イ．引用刊行物２
　原査定の拒絶の理由に引用され、本願出願前に頒布された特開平７−２８９３７８号公報（以下「引用刊行物２」という。）には、図１〜７とともに以下の事項が記載されている。
（ア）「アタッチメントが係合する溝を凹設してなるアタッチメント取付用溝部材であって、
　前記溝の開口を塞ぐ向きに付勢された蓋部材が前記溝の内側に設けられることを特徴とするアタッチメント取付用溝部材。」（特許請求の範囲の請求項１）
（イ）「この溝部材は、Ｔスロットが常時開口しているので、Ｔスロット内に塵埃がたまる上、特に溝部材を取り付ける壁面を明るい色にすると、Ｔスロットの隙間が目立つために体裁が悪くなり、意匠上の制約となることがある。
　本発明は、このような不都合を解消するべく案出されたものであり、その主な目的は、フックやアタッチメントを取り付けない状態の部分、つまり不使用部分の溝を閉じることができるように改善されたアタッチメント取付用溝部材を提供することにある。」（段落【０００３】及び【０００４】）
（ウ）「図１並びに図２は、本発明に基づき構成されたアタッチメント取付用溝部材を示している。この溝部材１は、硬質塩化ビニル樹脂材などにて押出成形され、適宜な長さを定尺とするＣ字形断面の棒状材からなり、底の方が拡開したＴ字形断面の溝、つまり所謂Ｔスロット２を長手方向の全長に渡って凹設してなっている。
　Ｔスロット２内には、アルミニウム材などの押出成形によってＴ字形断面に形成された細長い蓋部材３が装着されている。この蓋部材３は、Ｔスロット２の内側部分に係合する板状部４と、Ｔスロット２の狭幅な開口５を塞ぐように板状部４の中央に長手方向に沿って突設された突条部６とからなり、長手方向について適宜な間隔をあけてＴスロット２の底面に凹設されたばね受孔７に装着された複数のコイルばね８により、通常はＴスロット２の開口５が突条部６にて閉じられた状態となるようになっている。この蓋部材３は、溝部材１の全長に渡って装着されているが、全長を一本で通すよりも、適宜な寸法で分割した方が使用性の面からは好ましい。
　図３は、アタッチメントの一例をＴスロット２に取り付けた状態を示している。このアタッチメント１０は、溝部材１に対する取付面が平面にされた円筒状部分１１と、取付面に突設されたＴスタッド１２とからなっており、Ｔスタッド１２の頭部１３を、Ｔスロット２に平行に向けたうえで蓋部材３を押しのけるようにしてＴスロット２内に差し込み、かつ９０度回動させることにより、Ｔスタッド１２の頭部１３がＴスロット２に係合してアタッチメント１０と溝部材１とが一体化するようになってる。
　Ｔスタッド１２の頭部１３には、蓋部材３の突条部６に係合する窪み１３ａが凹設されており、上記のようにしてアタッチメント１０を９０度回動させると、蓋部材３が弾発付勢されているため、突条部６に窪み１３ａが整合したところで一旦押し込まれた蓋部材３が突き出し、突条部６が窪み１３ａに嵌入してクリック感が出るようになっている。」（段落【０００８】〜【００１１】）
（エ）「また、蓋部材を閉方向へ弾発付勢することにより、溝に対して押しつける力がアタッチメントに作用するため、アタッチメントと溝との係合力が増大し、アタッチメントの姿勢保持力が高まる。」（第４頁下欄の【手続補正書】の【手続補正１】の段落【００１７】）
（オ）図１及び２には、アタッチメント１０のＴスタッド１２が溝部材１のＴスロット２に取り付けられていない時、蓋部材３の板状部４が、Ｔスロット２の狭幅な開口５に続くＣ字形断面の両端部に内側から接している様子が図示される。
　
（３）対比・判断
　本件補正発明と引用発明とを対比すると、後者の「室内の天井の所望位置に、ビス挿通孔１ｇを挿通したビスにより固定される薄型の略円筒形の支持具１」は、その機能・構成からみて、前者の「天井３にビス等で固着されている支持部材４」に相当し、以下同様に、後者の「支持具１の底面」は前者の「支持部材４の外部側」に、後者の「開口部１ａ」は前者の「嵌合孔１３」に、後者の「支持具１の開口部１ａには下方からそのシャフト３の一端である先端を差し込み着脱可能に取り付ける吊掛具２」は前者の「支持部材４の前記嵌合孔１３にはその上端部１５が装着され嵌合するように構成された吊掛棒５」に、後者の「吊掛具２が室内の天井から吊り下げられるように取り付けられ、吊掛具２の下端に設けられた引掛部５を利用してを引っ掛けて使用する物干具など」は前者の「吊掛棒５が天井から懸架するタイプの室内物干し等」に、後者の「受部１ｄ」は前者の「係止部３１、３１’」に、後者の「横杆４の両端」は前者の「係止突部１７、１７’」に、後者の「物干具などを引っ掛けて使用する吊掛具２を室内の天井に固定する支持具１に着脱可能に取り付けられる吊掛装置」は前者の「室内物干し具等に於ける支持部材と吊掛棒の着脱機構」にそれぞれ相当する。
　また、後者の「吊掛具２の先端である、シャフト３の一端に、下面が円弧状になった略半円柱形の横杆４を設けるとともに、吊掛具２の横杆４からシャフト３と同軸上に突設された凸部４ａを設け」る態様は、前者の「吊掛棒５の上端部１５には球形フック１６及び係止突部１７、１７’からなる支持部材４への嵌合部を設け」る態様と、吊掛棒５の上端部１５には係止突部１７、１７’からなる支持部材４への嵌合部を設けている点で共通する。
　後者の「吊掛具２の先端である、シャフト３の一端に、」「吊掛具２の横杆４からシャフト３と同軸上に突設された凸部４ａを設け、支持具１の開口部１ａの他方側に設けられた天板部１ｂの中央に、凸部４ａの外径とほぼ等しい寸法の内径の凹所１ｆを設け、開口部１ａに吊掛具２の先端を差し込み、凸部４ａを天板部の凹所１ｆに係合させて操作が円滑に行えるように位置決めするとともに横杆４も開口部１ａ内に位置させ、吊掛具２のシャフト３を所定の方向に回動させる」ことと、前者の吊掛棒５の上端部１５の「球形フック１６の位置決め凹部１８が前記支持部材４内の円形凸部３０に嵌合し押圧された状態で所定方向に回転せしめること」とは、吊掛棒５の上端部１５の位置決め部材が支持部材４内の対応する位置決め部材に嵌合し押圧された状態で所定方向に回転せしめる点で共通し、後者の「凸部４ａ」及び「凹所１ｆ」と前者の「位置決め凹部１８」及び「円形凸部３０」とは、それぞれ「吊掛棒５の上端部１５の位置決め部材」及び「対応する位置決め部材」である点で共通する。
　後者の「吊掛具２のシャフト３を所定の方向に回動させることにより、横杆４の両端が支持具１の開口部１ａを挟んだ両側の底部１ｃ上の開口部１ａに開放した空間へと移動し、やがて、この底部１ｃ上に突設された隔壁１ｅに当接しそれ以上の移動が阻止されて押し上げていた吊掛具２を離すと支持具１の底部１ｃに下方湾曲状に設けられた受部１ｄ内に落ち込み、受部１ｄで支持されること、また、吊掛具２のシャフト３を上記所定の方向と反対方向に回動させ、横杆４の両端を底部１ｃ上から開口部１ａ側へと移動させれば吊掛具２は容易に支持具１から取り外すことができる」ことと、前者の「所定方向に回転せしめることにより係止突部１７、１７’が前記支持部材４内部に設けられた可動用溝３２、３２’内を摺動して係止部３１、３１’に嵌合して支持部材４と吊掛棒５の固着ができること、また、前記支持部材４と吊掛棒５の離脱は吊掛棒５を所定方向に回転せしめることにより行うこと」とは、所定方向に回転せしめることにより係止突部１７、１７’が前記支持部材４内部を通過して係止部３１、３１’に嵌合して支持部材４と吊掛棒５の固着ができること、また、前記支持部材４と吊掛棒５の離脱は吊掛棒５を所定方向に回転せしめることにより行うことである点で共通している。
　そうすると、両者は、
「天井３にビス等で固着されている支持部材４、該支持部材４の外部側は嵌合孔１３が設けられており、並びに該支持部材４の前記嵌合孔１３にはその上端部１５が装着され嵌合するように構成された吊掛棒５が用意され該吊掛棒５が天井から懸架するタイプの室内物干し等において、
　前記吊掛棒５の上端部１５には係止突部１７、１７’からなる支持部材４への嵌合部を設け、
　吊掛棒５の上端部１５の位置決め部材が支持部材４内の対応する位置決め部材に嵌合し押圧された状態で所定方向に回転せしめるることにより係止突部１７、１７’が前記支持部材４内部を通過して係止部３１、３１’に嵌合して支持部材４と吊掛棒５の固着ができること、
　また、前記支持部材４と吊掛棒５の離脱は吊掛棒５を所定方向に回転せしめることにより行う、
　室内物干し具等に於ける支持部材と吊掛棒の着脱機構。」
である点で一致し、以下の点で相違すると認められる。
相違点Ａ：支持部材４の外部側に嵌合孔１３を設けることに関して、本件補正発明が「嵌合孔１３を有した嵌合溝１４が設け」ることによるのに対し、引用発明は「支持具１の底面の中央部分に開口部１ａが設け」られていて嵌合溝を有していない点。
相違点Ｂ：本件補正発明が「支持部材４の内部にはスプリング２５により上下動可能」な「可動ストッパー２６を設け、該可動ストッパー２６により常に押圧される状態となる可動用溝３２、３２’及び係止部３１、３１’を設け」ているのに対して、引用発明は可動ストッパを有しておらず、可動ストッパー２６により常に押圧される状態となる可動用溝３２、３２’及び係止部３１、３１’を設けるものでもない点。
相違点Ｃ：吊掛棒５の上端部１５の支持部材４への嵌合部に関し、本件補正発明は「球形フック１６」を有しているのに対して引用発明はそのようなものではない点。
相違点Ｄ：本件補正発明が可動ストッパー２６の「中心部に円形凸部３０を有」し、「球形フック１６の位置決め凹部１８が前記支持部材４内の円形凸部３０に嵌合し押圧された状態で所定方向に回転せしめることにより係止突部１７、１７’が前記支持部材４内部に設けられた可動用溝３２、３２’内を摺動して係止部３１、３１’に嵌合して支持部材４と吊掛棒５の固着ができる」のに対し、引用発明は、「吊掛具２の横杆４からシャフト３と同軸上に突設された凸部４ａを設け、支持具１の開口部１ａの他方側に設けられた天板部１ｂの中央に、凸部４ａの外径とほぼ等しい寸法の内径の凹所１ｆを設け、」「開口部１ａに吊掛具２の先端を差し込み、凸部４ａを天板部の凹所１ｆに係合させて操作が円滑に行えるように位置決めするとともに横杆４も開口部１ａ内に位置させ、吊掛具２のシャフト３を所定の方向に回動させることにより、横杆４の両端が支持具１の開口部１ａを挟んだ両側の底部１ｃ上の開口部１ａに開放した空間へと移動し、やがて、この底部１ｃ上に突設された隔壁１ｅに当接しそれ以上の移動が阻止されて押し上げていた吊掛具２を離すと支持具１の底部１ｃに下方湾曲状に設けられた受部１ｄ内に落ち込み、受部１ｄで支持される」ものである点。
　
　そこで、上記相違点について検討する。
ア．相違点Ａについて
　外面に開口する孔の入り口周縁を面取りして、その穴が設けられる部分を凹溝状とすることは、例えばバリ防止、強度保持、けが防止、見栄え向上等のために、当業者が通常なす設計的事項といえる。引用発明のように、挿入・嵌合等をなす孔においても、例えば引用刊行物１の従来技術として示される図６及び７や本願の従来例である特開平６−１２１７２５号公報の図１０にも、孔の入り口部分が面取りされる様子が図示されていて、挿入を容易にする等のために従来、当業者が通常なす程度のことといえる。
　そうすると、相違点Ａに係る本件補正発明の発明特定事項とすることは当業者が適宜なし得た設計的事項であると言わざるを得ない。
　なお、本件補正発明においても、「嵌合孔１３を有した嵌合溝１４が設けられ」とするのみであって、その具体的な形状・大きさ等は限定されていない。
　
イ．相違点Ｂについて
　引用刊行物２には、Ｔスタッド１２を有するアタッチメント１０を取り付ける、壁面に取り付けられた、Ｔスロット２が常時開口するＣ字形断面のアタッチメント取付用溝部材１において、Ｔスロット２内に塵埃がたまる上、Ｔスロット２の隙間が目立つために体裁が悪くなり、意匠上の制約となることを解消するために、Ｔスロット２の内側部分、Ｔスロット２の開口５に続くＣ字形断面の両端部に内側から接するように係合する板状部４と、Ｔスロット２の狭幅な開口５を塞ぐように板状部４の中央に長手方向に沿って突設された突条部６とからなり、Ｔスロット２の底面に装着されたコイルばね８により、アタッチメント１０のＴスタッド１２が取り付けられていない通常はＴスロット２の開口５が突条部６にて閉じられた状態となるように、Ｔスロット２内に装着される蓋部材３が示されている。
　引用発明の支持具１は室内の天井に固定するものであって、上記引用刊行物２のアタッチメント取付用溝部材１は壁面に取り付けられるものではあるが、ともに使用者の見える場所に取り付けられ、不使用時は、取付部材といえる吊掛具２やアタッチメント１０を、その開口である開口部１ａやＴスロット２の開口５に取り付けるものであるから、引用発明の支持具１の開口部１ａに、不使用時に塵埃がたまったり、その隙間が目立って体裁が悪くなることを防ぐために、引用刊行物２に示される事項に倣って、支持具１内にコイルばねを装着し、このばねにより、開口部１ａを塞ぐように、開口部１ａを挟んだ両側の底部１ｃの上面を内側から接するように押圧する板状部材を有する蓋を設けることは、当業者が格別の困難性を要することなくなし得たことといえる。
　そして、そのようにばねにより板状部材を有する蓋を押圧すると、当該蓋は、支持具１の底部１ｃの構造からみて、上下動可能であるといえ、本件補正発明の可動ストッパーに対応する。
　また、引用発明は、「横杆４の両端が支持具１の開口部１ａを挟んだ両側の底部１ｃ上の開口部１ａに開放した空間へと移動し、やがて、この底部１ｃ上に突設された隔壁１ｅに当接しそれ以上の移動が阻止されて押し上げていた吊掛具２を離すと支持具１の底部１ｃに下方湾曲状に設けられた受部１ｄ内に落ち込み、受部１ｄで支持される」ものであるから、開口部１ａを挟んだ両側の底部１ｃ上及び横杆４の両端が支持される受部１ｄも開口部１ａに開放した空間へ続くものであって、上記部分も当然上記蓋の板状部材により常に押圧されると言えるとともに、上記部分について「吊掛具２のシャフト３を所定の方向に回動させ」た時、横杆４の両端が、開口部１ａを挟んだ両側の底部１ｃ上を移動し、受部１ｄで支持されるものであるから、横杆４の両端が可動する開口部１ａに開放した溝及びこれが固定される嵌合部分であるといえる。
　そうすると、引用発明に引用刊行物２に記載の事項を適用して、相違点Ｂに係る本件補正発明の発明特定事項とすることは、当業者が容易になし得たことといえる。そして、そのことによる格別の効果もない。
　
ウ．相違点Ｃ及びＤについて
　引用発明は、「吊掛具２の先端である、シャフト３の一端に、」「吊掛具２の横杆４からシャフト３と同軸上に突設された凸部４ａを設け、支持具１の開口部１ａの他方側に設けられた天板部１ｂの中央に、凸部４ａの外径とほぼ等しい寸法の内径の凹所１ｆを設け、」「開口部１ａに吊掛具２の先端を差し込み、凸部４ａを天板部の凹所１ｆに係合させて操作が円滑に行えるように位置決めする」ものである。
　一方、引用発明と同様の吊掛具の先端の構造として、係合凹所を有する球形部分とこれに係合する支持具に設けられた凸部は、例えば、例えば引用刊行物１に従来技術として示される図７や本願の従来例である特開平６−１２１７２５号公報にも示されるように、従来周知のものである。
　したがって、引用発明の吊掛具２の位置決めのための、その先端の凸部４ａと支持具１の凹所１ｆの構成を、上記周知の構造とすることは当業者が適宜なし得た設計的事項と言わざるを得ない。
　そして、上記イ．相違点Ｂについてで述べたように、ばねにより上下動可能な板状部材を有する蓋を設けるとき、開口部１ａは板状部材に覆われているから、支持具１側に設けられる凸部をその板状部材の中央に設けることは、当業者が通常なす設計事項にすぎないといえる。
　そうすると、吊掛具２を回動させる時の動作に関しても、位置決めするように、吊掛具２の球形部分の係合凹所が支持具に設けられた凸部に嵌合し押圧された状態で回転せしめるものであり、その時、ばねにより押圧される、板状部材を有する蓋により、横杆４の両端は押圧されるものであるから、横杆４の両端は、開口部１ａを挟んだ両側の底部１ｃ上を摺動し、受部１ｄ内に落ち込み、支持されて、嵌合し、固着されるといえる。
　なお、引用刊行物２も（２）イ．（ウ）で「アタッチメント１０を９０度回動させると、蓋部材３が弾発付勢されているため、突条部６に窪み１３ａが整合したところで一旦押し込まれた蓋部材３が突き出し、突条部６が窪み１３ａに嵌入してクリック感が出るようになっている」と摘示したように、摺動によって操作感が得られることを示唆するとともに、（２）イ．（エ）で摘示したようにばねにより係合力が高くなることも記載している。
　以上述べたように、相違点Ｃ及びＤに係る本件補正発明の発明特定事項についても、当業者が容易になし得たことといえ、そのことによる格別の効果も認められない。
　
　また、相違点Ａ〜Ｄを合わせ考えても、その効果が格別であるとはいえない。
　
　よって、本件補正発明は、引用発明、引用刊行物２に記載の事項及び上記周知の事項に基づいて当業者が容易に発明をすることができたものであるから、特許法第２９条第２項の規定により特許出願の際独立して特許を受けることができない。
　
（４）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　本件補正は上記のとおり却下されたので、本願の請求項１に係る発明（以下「本願発明」という。）は、平成１８年９月１日に手続補正された明細書の特許請求の範囲の請求項１に記載された事項により特定される、以下のとおりのものである。
「天井３にビス等で固着されている支持部材４、
　該支持部材４の外部側は嵌合孔１３を有した嵌合溝１４が設けられており、
　並びに該支持部材４の前記嵌合孔１３にはその上端部１５が装着され嵌合するように構成された吊掛棒５が用意されており、
　前記支持部材４の内部にはスプリング２５により上下動可能で中心部に円形凸部３０を有する可動ストッパー２６を設け、
　該可動ストッパー２６により常に押圧される状態となる可動用溝３２、３２’及び係止部３１、３１’を設け、
　前記吊掛棒５の上端部１５には球形フック１６及び係止突部１７、１７’からなる支持部材４への嵌合部を設け、
　該球形フック１６の位置決め凹部１８が前記支持部材４内の円形凸部３０に嵌合し押圧された状態で所定方向に回転せしめることにより係止突部１７、１７’が前記支持部材４内部に設けられた可動用溝３２、３２’内を摺動して係止部３１、３１’に嵌合して支持部材４と吊掛棒５の固着ができること、
　また、前記支持部材４と吊掛棒５の離脱は吊掛棒５を所定方向に回転せしめることにより行うこと、
　を特徴とする室内物干し具等に於ける支持部材と吊掛棒の着脱機構。」
　
（１）引用刊行物
　原査定の拒絶の理由に引用された刊行物の記載事項は、前記「２．（２）」に記載したとおりである。
　
（２）対比・判断
　本願発明は、実質的に、前記「２．（１）」で検討した本件補正発明の発明を特定するための事項である、室内物干し具等に於ける支持部材と吊掛棒に関し、「
該吊掛棒５が天井から懸架するタイプの室内物干し等において
　そうすると、本願発明の発明特定事項をすべて含み、さらに、他の発明特定事項を付加したものに相当する本件補正発明が、前記「２．（３）」に記載したとおり、引用発明、引用刊行物２に記載の事項及び上記周知の事項に基づいて、当業者が容易に発明をすることができたものであるから、本願発明も、同様に、引用発明、引用刊行物２に記載の事項及び上記周知の事項に基づいて、当業者が容易に発明をすることができたものである。
　
４．むすび
　以上のとおり、本願発明は、引用発明、引用刊行物２に記載の事項及び周知の事項に基づいて、当業者が容易に発明をすることができたものであるから、特許法第２９条第２項の規定により特許を受けることができない。そうすると、本願の他の請求項に係る発明について検討するまでもなく、本願は拒絶されるべきものである。
　よって、結論のとおり審決する。